(57)【要約】【課題】部品点数および施工工数を低減した軽天材の支持構造を提供すること。【解決手段】軽天材１６は上枠ランナー１２の屋内側側面に設けられた軽天受部１５に支持されている。この構成により、軽天材１６を取り付ける工程に先立って、内壁下地材１４を枠体のスタッド１１に固定する工程を行う必要がなくなる。すなわち、上枠ランナー１２の屋内側支持部１２ｂに形成された軽天受部１５に軽天材１６を支持させ、軽天材１６に天井板１７を固定した後に、内壁下地材１４を枠体のスタッド１１に固定することができるようになる。これにより、天井板１７を軽天材１６に固定した段階では壁パネル１０の内壁下地材１４が固定されていない状態とすることができるので、天井板１７より下の同一階の壁面内および屋内空間の施工作業を同時期に行うことが可能になる。【選択図】      図１
2007211409.tif 000002
【特許請求の範囲】
【請求項１】
スタッドと前記スタッドの上端部を被覆する上枠ランナーと前記スタッドの下端部を被覆する下枠ランナーとで形成される枠体を有する壁体と、
天井板が固定される天井野縁とを備える建物であって、
前記上枠ランナーの一の側面に前記天井野縁の端部を支持する野縁支持部を設けたことを特徴とする建物。
【請求項２】
前記壁体は屋外側空間と屋内側空間とを区画しており、
前記野縁支持部を前記上枠ランナーの屋内側の側面に設けたことを特徴とする請求項１に記載の建物。
【請求項３】
前記上枠ランナーの他の側面にも前記野縁支持部を設けたことを特徴とする請求項１に記載の建物。
【請求項４】
前記壁体に固定されて内壁下地面を形成する内壁下地材をさらに有し、前記内壁下地材の上端部は前記野縁支持部より下方に位置することを特徴とする請求項１から請求項３のいずれかに記載の建物。
【請求項５】
前記上枠ランナーは、前記天井野縁が設けられた一の側面側から前記スタッドを支持する第１の支持部と他の側面側から前記スタッドを支持する第２の支持部とを有し、
前記第１の支持部を前記第２の支持部よりも下方に伸びるように形成したことを特徴とする請求項１または請求項２に記載の建物。
【請求項６】
前記野縁支持部は、前記上枠ランナーに一体形成されることを特徴とする請求項１から請求項５のいずれかに記載の建物。
【請求項７】
前記野縁支持部は、前記上枠ランナーの側面から突出した板状であることを特徴とする請求項１から請求項６のいずれかに記載の建物。
【請求項８】
前記天井野縁の端部は、前記野縁支持部に沿って上下方向に移動可能に配置され、上下方向の所定の移動位置で前記野縁支持部に側方から固定されていることを特徴とする請求項１から請求項７いずれかに記載の建物。
【請求項９】
前記天井野縁の端部はその端部側に開口した中空四角柱状であり、当該天井野縁端部の中空部上下方向の内寸法は前記野縁支持部の上端部と下端部との間の寸法よりも大きく形成されており、
前記野縁支持部は、前記上枠ランナーの側面から突出した水平方向に向く板状面を有しており、
当該水平方向に向く板状面は前記天井野縁の端部の開口から前記天井野縁内に挿入され、前記天井野縁の端部内側の一の面と対向させて前記天井野縁に固定されていることを特徴とする請求項１から請求項６のいずれかに記載の建物。
【請求項１０】
天井面を形成する天井材と、
前記天井材が固定される天井野縁と、
スタッドと、前記スタッドの上端部を被覆する上枠ランナーと、前記スタッドの下端部を被覆する下枠ランナーとで形成される枠体を有し、前記上枠ランナーの屋内側の側面に前記天井野縁の端部を支持する野縁支持部を備える壁体と、
前記壁体の屋内側に固定されて内壁下地面を形成し、上端部が前記野縁支持部より下方に位置する内壁下地材とを備えた建物の施工方法であって、
前記天井野縁の端部を前記野縁支持部に支持させる天井下地組工程と、
前記天井材を前記天井野縁に固定する天井固定工程と、
前記内壁下地材を前記壁体に固定する壁面固定工程とを有し、
前記天井下地組工程が行われた後に前記天井固定工程を行い、その後、前記壁面固定工程を行うことを特徴とする建物の施工方法。
【請求項１１】
間仕切スタッドと前記間仕切スタッドの上端部を被覆する間仕切上枠ランナーと前記間仕切スタッドの下端部を被覆する間仕切下枠ランナーとで形成される間仕切枠体と、前記間仕切枠体に固定される間仕切壁下地材とを有する間仕切壁体をさらに備え、
前記天井の下方の所定位置に前記間仕切枠体を配置する間仕切壁下地組工程と、
前記間仕切枠体に前記間仕切壁下地材を固定する間仕切壁面固定工程とをさらに有する請求項１０に記載の建物の施工方法であって、
前記天井固定工程の後に前記間仕切壁下地組工程を行い、その後、前記壁面固定工程と前記間仕切壁面固定工程とを行うことを特徴とする建物の施工方法。
【請求項１２】
前記壁体の前記枠体内に配線を施す壁体内配線工程と、
前記天井板の上方に配線を施す天井配線工程と、
前記間仕切壁体の前記間仕切枠体内に配線を施す間仕切壁内配線工程とをさらに有する請求項１１に記載の建物の施工方法であって、
前記天井下地組工程の後、前記天井固定工程の前に前記天井配線工程を行い、
前記間仕切壁下地組工程の後、前記壁面固定工程および前記間仕切壁固定工程の前に、前記壁体内配線工程と前記間仕切壁内配線工程とを行うことを特徴とする建物の施工方法。
【発明の詳細な説明】
【技術分野】
【０００１】
本発明は、天井が固定される天井野縁の壁面における支持構造に関するものである。また、本発明は上記支持構造を有する建物の施工方法に関するものである。
【背景技術】
【０００２】
建物の骨格となる構造体に、２×４規格を採用し軽量鉄骨製フレームを用いることで強度と耐久性を高めた枠組壁工法のスチールハウスが広く知られている。スチールハウスにおいては、一般的に軽量鉄骨製長尺材の天井野縁（以下「軽天材」と呼ぶ）に天井板が固定される。そして、軽天材はその端部が壁面に設けられた支持部に支持される（壁面に天井野縁を設けるものとしては、例えば特許文献１参照）。
【０００３】
図７は従来の軽天材の支持構造を示す壁面および天井の一部の斜視断面図である。壁パネル１１０は建物において耐力壁を構成するものである。この壁パネル１１０は、複数本の軽量鉄骨製のスタッド１１１の上端部および下端部を軽量鉄骨製の上枠ランナー１１２および下枠ランナー（図示せず）に固定することで形成される枠体と、この枠体の一面側に固定された構造用合板１１３とで構成されている。枠体の他面側には、石膏ボード製の内壁下地材１１４が配置され、スタッド１１１にビスにより固定されている。なお、構造用合板１１３および内壁下地材１１４は、壁パネル１１０により形成される枠体と縦横の長さがほぼ同一の大きさである。
【０００４】
内壁下地材１１４には、その上端部から所定距離下方において水平方向に伸びる軽天受ランナー１１５が固定されている。この軽天受ランナー１１５は長手方向に垂直な断面が溝型の軽量鉄骨製長尺材であり、長手方向に伸びるように開口する開口部１１５ａを内壁下地材１１４の反対側に向けて固定されている。軽天受ランナー１１５には、開口部１１５ａから軽天材１１６の端部が挿入される。そして、軽天材１１６はその端部が軽天受ランナー１１５に係合されて支持された状態で、軽天受ランナー１１５にビスで固定される。なお、図７には示されていないが、軽天材１１６の他端側も同様の軽天受ランナー１１５において支持されている。また、図７においては、軽天材１１６は１本のみ示されているが、実際には、所定間隔隔てて平行に複数本配置される。
【０００５】
軽天材１１６には、その下方から石膏ボード製の天井板１１７がビスにより固定されている。
【０００６】
次に、上記軽天材１１６の支持構造を採用した場合の、間仕切壁のある建物の施工手順を説明する。図８から図１１は従来の軽天材の支持構造を採用した場合の間仕切壁のある建物を施工する際の施工手順を示す斜視図である。
【０００７】
まず、図示されていない床に壁パネル１１０が組付けられる（パネル組付工程）。そして、図８に示すように、スタッド１１１、上枠ランナー１１２、下枠ランナー（図示せず）および構造用合板１１３で構成される壁パネル１１０の枠体内部に電気配線工事が施される（壁パネル内配線工程）。その後、壁パネル１１０の屋内側に内壁下地材１１４が固定される（パネル壁面固定工程）。
【０００８】
次に、図９に示すように、内壁下地材１１４の上端部から所定距離下方に水平方向に伸びるように軽天受ランナー１１５が固定される。その後、軽天受ランナー１１５に複数本の軽天材１１６が所定間隔隔てて挿入され、固定される（天井下地組工程）。天井下地組付工程の後、天井裏に電気配線が施される（天井配線工程）。天井配線工程の後、所定間
隔隔てて配置された軽天材１１６に、その下方から天井板１１７が固定される（天井固定工程）。
【０００９】
次に、図１０に示すように、間仕切壁１１８を取り付ける位置の天井および床部分に、軽量鉄骨製の間仕切上枠ランナー１１９および間仕切下枠ランナー（図示せず）が相互に対向させて固定される。そして、間仕切上枠ランナー１１９および間仕切下枠ランナーに複数本の軽量鉄骨製の間仕切スタッド１２０の上端部および下端部を固定することで間仕切壁１１８の枠体が形成される（間仕切壁下地組工程）。
【００１０】
次に、図１１に示すように、間仕切壁１１８内の電気配線工事が施される（間仕切壁内配線工程）。最後に、石膏ボード製の間仕切内壁下地材１２１が間仕切スタッド１２０に固定される（間仕切壁面固定工程）。
【００１１】
上述したように、従来の軽天材支持構造では、軽天材１１６は軽天受ランナー１１５に支持されているが、この軽天受ランナー１１５は内壁下地材１１４に固定されていた。そのため、従来の施工手順では、軽天材１１６を取り付ける天井下地組工程に先立っての内壁下地材１１４を壁パネル１１０に固定する必要があった。この場合、壁パネル１１０内の電気配線工事は内壁下地材１１４を壁パネル１１０に固定する前に行う必要がある。一方、間仕切壁内の電気配線工事は、間仕切壁を設置する際に行われる。したがって、建物の壁面内の電気配線工事や壁面の下地材の固定という同種の作業を時間を前後して行わなければならず、施工効率悪化の原因となっていた。
【００１２】
また、上述した軽天材１１６の支持構造においては、軽天材１１６を取り付けるためにそれを受ける軽天受ランナー１１５を内壁下地材１１４に取り付ける必要があった。そのため、施工のための部品点数が増大するとともに、施工現場における工数が増大するという問題があった。
【特許文献１】特開平８−７４３７６号公報
【発明の開示】
【発明が解決しようとする課題】
【００１３】
本発明は、上記問題に鑑みなされたものであり、施工効率を高めた天井野縁の支持構造を有する建物の施工方法を提供することを主たる目的とするものである。また、本発明は、部品点数および施工工数を低減した天井野縁の支持構造を提供することを主たる目的とするものである。
【課題を解決するための手段】
【００１４】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【００１５】
本発明の建物では、スタッド（スタッド１１）と前記スタッドの上端部を被覆する上枠ランナー（上枠ランナー１２）と前記スタッドの下端部を被覆する下枠ランナーとで形成される枠体を有する壁体（壁パネル１０）と、天井板（天井板１７）が固定される天井野縁（軽天材１６）とを備え、前記上枠ランナーの一の側面に前記天井野縁の端部を支持する野縁支持部（軽天受部１５）を設けることを特徴としている。
【００１６】
なお、野縁支持部は、屋外側空間と屋内側空間とを区画している壁体における上枠ランナーの屋内側側面に設けることができる。また、上枠ランナーの他の側面にも野縁支持部
を設けることもできる。
【００１７】
このような構成をとることにより、天井野縁を取り付ける工程に先立って、内壁下地材を枠体のスタッド１１に固定する工程を行う必要がなくなる。すなわち、天井野縁を野縁支持部に支持させるためには、野縁支持部を有する上枠ランナーと下枠ランナーとスタッドとで形成される枠体が形成されていればよい。そのため、天井野縁を野縁支持部に支持させ、天井野縁に天井板を固定した後であっても、枠体を有する壁体に内壁下地材が固定されていない状態を作ることができる。これにより、天井板より下の同一階の壁面内および屋内空間の施工作業を同時期に行うことが可能になる。
【００１８】
なお、前記壁体に固定されて内壁下地面を形成する内壁下地材（内壁下地材１４）をさらに有し、前記内壁下地材の上端部は前記野縁支持部より下方に位置しているという構成をとることもできる。これにより、天井板よりも上方に位置し、屋内空間と面しない内壁下地材の部分を低減することができるので、必要となる内壁下地材の面積を低減でき、材料コストの削減が図れる。
【００１９】
前記上枠ランナーは、前記天井野縁が設けられた一の側面側から前記スタッドを支持する第１の支持部（屋内側支持部１２ｂ）と他の側面側から前記スタッドを支持する第２の支持部（屋外側支持部１２ａ）とを有し、前記第１の支持部を前記第２の支持部よりも下方に伸びるように形成することが好ましい。これにより、第１の支持部においては野縁支持部を形成するスペースを確保することができるようにするとともに、第２の支持部ではスタッドを支持するのに十分な長さにとどめ、使用部材量の増大を抑えることが可能になる。
【００２０】
前記野縁支持部は、前記上枠ランナーに一体形成されることが好ましい。これにより、上枠ランナーの側面に天井野縁を支持するための別部材を施工現場で取り付ける必要がなくなる。その結果、部品点数を減少させることができるとともに、施工現場における施工工数を減少させることができる。
【００２１】
前記野縁支持部は、前記上枠ランナーの側面から突出した板状であることが好ましい。これにより簡易な形状で野縁支持部を構成することが可能になる。
【００２２】
前記天井野縁の端部は、前記野縁支持部に沿って上下方向に移動可能に配置され、上下方向の所定の移動位置で前記野縁支持部に側方から固定されていることが好ましい。これにより、天井野縁の端部を野縁支持部に支持・固定する際に、天井野縁を野縁支持部に沿って上下方向に動させることが可能になる。その結果、天井野縁を野縁支持部に固定する際に天井野縁の高さを微調整することが可能となる。
【００２３】
前記天井野縁の端部はその端部側に開口した中空四角柱状であり、当該天井野縁端部の中空部上下方向の内寸法は前記野縁支持部の上端部と下端部との間の寸法よりも大きく形成されており、前記野縁支持部は、前記上枠ランナーの側面から突出した水平方向に向く板状面（横向きフランジ１５ｂ）を有しており、当該水平方向に向く板状面は前記天井野縁の端部の開口から前記天井野縁内に挿入され、前記天井野縁の端部内側の一の面と対向させて前記天井野縁に固定されていることが好ましい。
【００２４】
これにより、野縁支持部の水平方向に向く板状面が天井野縁の内部に挿入された状態で、天井野縁を上下方向に移動することが可能になる。その結果、天井野縁を野縁支持部の水平方向に向く板状面に固定する際に天井野縁の高さを微調整することが可能となる。また、野縁支持部の水平方向に向く板状面が天井野縁の内部に挿入されているので、天井野縁を板状面に固定する際には、天井野縁の内部上側面を野縁支持部上端に仮置きすること
が可能となり、軽天材１６を野縁支持部に支持固定させる際の作業性が向上する。
【００２５】
本発明の建物の施工方法では、天井面を形成する天井材と、前記天井材が固定される天井野縁と、スタッドと前記スタッドの上端部を被覆する上枠ランナーと前記スタッドの下端部を被覆する下枠ランナーとで形成される枠体を有し前記上枠ランナーの屋内側の側面に前記天井野縁の端部を支持する野縁支持部を備える壁体と、前記壁体の屋内側に固定されて内壁下地面を形成し上端部が前記野縁支持部より下方に位置する内壁下地材とを備えた建物の施工方法であって、前記天井野縁の端部を前記野縁支持部に支持させる天井下地組工程と、前記天井材を前記天井野縁に固定する天井固定工程と、前記内壁下地材を前記壁体に固定する壁面固定工程とを有し、前記天井下地組工程が行われた後に前記天井固定工程を行い、その後、前記壁面固定工程を行うことを特徴としている。
【００２６】
天井固定工程の後に、壁面固定工程が行われるので、天井板を固定した段階では壁体に内壁下地材が固定されていない状態とすることができる。その結果、天井板より下の同一階の壁面内および屋内空間の施工作業を同時期に行うことが可能になる。
【００２７】
間仕切スタッドと前記間仕切スタッドの上端部を被覆する間仕切上枠ランナーと前記間仕切スタッドの下端部を被覆する間仕切下枠ランナーとで形成される間仕切枠体と、前記間仕切枠体に固定される間仕切壁下地材とを有する間仕切壁体をさらに備え、前記天井の下方の所定位置に前記間仕切枠体を配置する間仕切壁下地組工程と、前記間仕切枠体に前記間仕切壁下地材を固定する間仕切壁面固定工程とをさらに有し、前記天井固定工程の後に前記間仕切壁下地組工程を行い、その後、前記壁面固定工程と前記間仕切壁面固定工程とを行うようにしてもよい。これにより、壁体に内壁下地材を固定する作業と間仕切枠体に間仕切下地材を固定する作業という同種の作業を同時期に行うことが可能になり、作業性を向上することができる。
【００２８】
前記壁体の前記枠体内に配線を施す壁体内配線工程と、前記天井板の上方に配線を施す天井配線工程と、前記間仕切壁体の前記間仕切枠体内に配線を施す間仕切壁内配線工程とをさらに有し、前記天井下地組工程の後、前記天井固定工程の前に前記天井配線工程を行い、前記間仕切壁下地組工程の後、前記壁面固定工程および前記間仕切壁固定工程の前に、前記壁体内配線工程と前記間仕切壁内配線工程とを行うようにしてもよい。これにより、壁体の枠体内に配線を施す作業と間仕切枠体内に配線を施す作業という同種の作業を同時期に行うことが可能になり、作業性を向上することができる。
【発明を実施するための最良の形態】
【００２９】
以下に、本発明を具体化した一実施の形態について図面を参照しつつ説明する。図１は本実施形態における軽天材の支持構造を示す壁面および天井の一部を示す斜視断面図である。図２は本実施形態の軽天材の支持構造を示す壁パネル及び軽天材の要部断面図である。図３から図６は本発明の軽天材の支持構造を採用した場合の間仕切壁のある建物を施工する際の施工手順を示す斜視図である。
【００３０】
図１に示す壁パネル１０は、スチールハウスの壁面に用いられて、耐力壁を構成するものである。壁パネル１０は、複数本のスタッド１１と、上枠ランナー１２および下枠ランナー（図示せず）と、構造用合板１３とから構成されている。
【００３１】
スタッド１１は、長手方向に垂直な断面がリップ溝形の軽量鉄骨製の長尺材である。上枠ランナー１２および下枠ランナーは、長手方向に垂直な断面が溝型の軽量鉄骨製長尺材である。スタッド１１の上端部および下端部は、長手方向に伸びて開口している上枠ランナー１２および下枠ランナーの開口部から中央溝部に嵌入され、上枠ランナー１２および下枠ランナーで被覆されるように係合支持される。スタッド１１は所定間隔隔てて平行に
複数本配列され、スタッド１１の上端部および下端部が、上枠ランナー１２および下枠ランナーに固定されることにより枠体が形成されている。この枠体の一面側（屋外側）には、構造用合板１３がビスで固定されている。なお、図１においては、図示されていないが、構造用合板１３の屋外側には、断熱材、外装材が設けられる。
【００３２】
上枠ランナー１２にはスタッド１１を支持する板状の屋外側支持部１２ａおよび屋内側支持部１２ｂが設けられている。屋外側支持部１２ａはスタッド１１を屋外側から支持するものであり、スタッド１１を支持するのに十分な程度（例えば３０ｍｍ程度）の長さに形成されている。一方、屋内側支持部１２ｂはスタッド１１を屋内側から支持するものであり、屋外側支持部１２ａよりも長く形成される。具体的には、壁パネル１０の上端から天井板１７の上端部が配置される位置までの距離よりも長く形成されている（例えば１５０ｍｍ程度）。
【００３３】
屋内側支持部１２ｂには、軽天材１６の端部を支持し、固定される軽天受部１５が設けられている。軽天受部１５は、屋内側支持部１２ｂの一部に切り込みが入れられ、屋内側に折り返すことにより形成される上向きフランジ１５ａおよび横向きフランジ１５ｂから構成されている。上向きフランジ１５ａはその折り返し面が上方向を向くように屋内側支持部１２ｂから約９０度折り返されており、横向きフランジ１５ｂの上端部よりも上方に設けられている。一方、横向きフランジ１５ｂはその折り返し面が水平方向を向くように屋内側支持部１２ｂから約９０度折り返され、互いに平行に対向するように１対設けられている。なお、この軽天受部１５は図１には１組しか図示されていないが、実際には水平方向に所定間隔隔てて複数組設けられる。また、上向きフランジ１５ａおよび横向き１５ｂの折り返しは施工現場で行われるのではなく、上枠ランナー１２を製造する際、もしくは上枠ランナー１２をスタッド１１等と組み付けて壁パネル１０を形成する際に工場で予めなされる。
【００３４】
軽天材１６は、長手方向に垂直な断面が正方形の軽量鉄骨製の中空四角筒柱状の長尺材（角管材）である。そして、軽天材１６はその一端側内部に軽天受部１５を嵌め込まれた後、軽天受部１５の両横向きフランジ１５ｂにビス２２で固定される。
【００３５】
軽天材１６はその一端側内部に軽天受部１５を嵌め込まれた後、両横向きフランジ１５ｂにビスで固定される。そのため、両横向きフランジ１５ｂの間の外寸法は軽天材１６の中空部の水平方向の内寸法よりわずかに小さく設定されている。一方、上向きフランジ１５ａの上面部と両横向きフランジ１５ｂの下端部との間の寸法は、軽天材１６の中空部の上下方向の内寸法より短くされている。
【００３６】
上向きフランジ１５ａは、軽天材１６内部に軽天受部１５を嵌め込んで固定する際に軽天材１６の内部上面を仮置きするためのものである。図２に示すように、軽天材１６はその内部に上向きフランジ１５ａおよび両横向きフランジ１５ｂを挿入した状態で、上向きフランジ１５ａ上面に軽天材内部上側面を仮置きすることができる（図２の一点鎖線の状態）。その後、図２の実線に示すように、軽天材を上方（図２の矢印方向）の適当な固定位置に移動させた上で、両横向きフランジ１５ｂにビス２２で固定される。なお、図１には示されていないが、軽天材１６の他端側も同様の軽天受部１５において支持されている。
【００３７】
軽天材１６には、石膏ボード製の天井板１７が下方から固定されている。天井板１７は、軽天材１６にビス止めされることでその荷重を支えられている。
【００３８】
壁パネル１０の枠体の屋内側には、石膏ボード製の内壁下地材１４が配置されている。この内壁下地材１４は、その上端部を天井板１７の下面に当接させた状態でスタッド１１
にビスにより固定されている。
【００３９】
次に、本実施形態の軽天材１６の支持構造を採用した場合の、間仕切壁のある建物の施工手順を図３から図６に基づいて説明する。
【００４０】
まず、図示されていない床に壁パネル１０が組付けられる（パネル組付工程）。その後、図３に示すように、上枠ランナー１２に所定間隔隔てて形成された複数組の軽天受部１５のそれぞれが軽天材１６の内部に嵌め込まれる。そして、所定間隔隔てて平行に配置された複数本の軽天材１６が両横向きフランジ１５ｂにビスで固定される（天井下地組工程）。
【００４１】
次に、図４に示すように、天井裏に電気配線が施される（天井配線工程）。天井配線工程の後、所定間隔隔てて配置された軽天材１６に、その下方から天井板１７が固定される（天井固定工程）。
【００４２】
次に、図５に示すように、間仕切壁１８を取り付ける位置の天井および床部分に、軽量鉄骨製の間仕切上枠ランナー１９と間仕切下枠ランナー（図示せず）とが相互に対向させて固定される。そして、複数本の間仕切スタッド２０の上端部および下端部が間仕切上枠ランナー１９および間仕切下枠ランナーに係合支持された状態で固定され、間仕切壁１８の枠体が形成される（間仕切壁下地組工程）。なお、間仕切上枠ランナー１９、間仕切下枠ランナー、および間仕切スタッド２０は、壁パネル１０の枠体を構成する上枠ランナー１２、下枠ランナー、スタッド１１と同様の形状のものである。また、間仕切スタッド２０を間仕切上枠ランナー１９と間仕切下枠ランナーとの間に係合させる際には、まず、間仕切スタッド２０を取付け状態からやや傾け、間仕切スタッド２０の上端部及び下端部を間仕切上枠ランナー１９および間仕切下枠ランナーの中央溝部に嵌入する。その後、間仕切スタッド２０を垂直になるよう両ランナー間に所定間隔を開けて複数立設する。
【００４３】
次に、図６に示すように、スタッド１１、上枠ランナー１２、下枠ランナー（図示せず）および構造用合板１３で構成される壁パネル１０の枠体内部に電気配線工事が施される（壁パネル内配線工程）。また、間仕切壁１８の枠体内についても同様に電気配線工事が施される（間仕切壁内配線工程）。両配線工程の後、壁パネル１０の枠体を形成するスタッド１１に内壁下地材１４がビスにより固定される（パネル壁面固定工程）。また、間仕切壁１８の枠体を形成する間仕切スタッド２０にも石膏ボード製の間仕切壁下地材２１がビスにより固定される（間仕切壁面固定工程）。なお、間仕切壁下地材２１は図６では片面のみに貼られているが、実際には両面に貼られ、間仕切壁１８が構成される。また、壁パネル内配線工程と間仕切壁内配線工程とはどちらを先に行ってもよく、パネル壁面固定工程と間仕切壁面固定についてもどちらを先に行ってもよい。
【００４４】
以上詳述した本実施の形態は、以下の優れた効果を有する。
【００４５】
本実施形態では、軽天材１６は上枠ランナー１２の屋内側側面に設けられた軽天受部１５に支持されている。このような構成をとることにより、軽天材１６を取り付ける天井下地組工程に先立って、内壁下地材１４を枠体のスタッド１１に固定する工程を行う必要がなくなる。すなわち、上枠ランナー１２の屋内側支持部１２ｂに形成された軽天受部１５に軽天材１６を支持させ、軽天材１６に天井板１７を固定した後に、内壁下地材１４を枠体のスタッド１１に固定することができるようになる。これにより、天井板１７を軽天材１６に固定した段階では壁パネル１０の内壁下地材１４が固定されていない状態とすることができるので、天井板１７より下の同一階の壁面内および屋内空間の施工作業を同時期に行うことが可能になる。
【００４６】
例えば、本実施形態のように、天井板１７の下部に間仕切壁１８を設けるような場合には、壁パネル１０および間仕切壁１８の壁面内の電気配線工事、および壁パネル１０の内壁下地材１４および間仕切壁１８の間仕切壁下地材２１の固定作業等、同種の作業を同時期に行うことができるようになり、作業性を向上することができる。
【００４７】
本実施形態では、壁面を形成する内壁下地材１４の上端部は軽天受部１５よりも下方に位置している。これにより、天井板１７よりも上方に位置し、屋内空間と面しない内壁下地材１４の部分を低減することができる。その結果、必要な内壁下地材１４の面積を低減でき、材料コストの削減が図れる。
【００４８】
本実施形態では、上枠ランナー１２の屋内側支持部１２ｂが屋外側支持部１２ａよりも長く形成される。これにより、屋内側支持部１２ｂにおいては軽天受部１５を形成するスペースを確保することができるようにするとともに、屋外側支持部１２ａではスタッド１１を支持するのに十分な長さにとどめ、使用部材量の増大を抑えることが可能になる。
【００４９】
本実施形態では、上枠ランナー１２自体に一体に形成された軽天受部１５に軽天材１６が支持されている。そのため、上枠ランナー１２の屋内側支持部１２ｂに軽天材１６を支持するための別部材を施工現場で取り付ける必要がない。これにより、部品点数を減少させることができるとともに、施工現場における施工工数を減少させることができる。また、本実施形態では、軽天受部１５は上枠ランナー１２の屋内側支持部１２ｂから屋内側に突出した上向きフランジ１５ａおよび横向き１５ｂにより構成されている。これにより、簡易な形状で軽天受部１５を構成することが可能になる。
【００５０】
本実施形態では、上枠ランナー１２の屋内側支持部１２ｂに設けられた上向きフランジ１５ａは、その折り返し面が上を向くように形成されている。そのため、軽天材１６内部に軽天受部１５が嵌め込まれてから、軽天材１６を両横向きフランジ１５ｂにビスで固定するまでの間、上向きフランジ１５ａの上面に軽天材１６を仮置きすることができる。そのため、軽天材１６を両横向きフランジ１５ｂに支持固定させる際の作業性が向上する。
【００５１】
本実施形態では、軽天材１６として長手方向に垂直な断面が正方形の中空四角筒柱状のものを採用し、両横向きフランジ１５ｂの間の外寸法を軽天材１６の水平方向の内寸法よりわずかに小さく設定している。また、上向きフランジ１５ａ上面部と両横向きフランジ１５ｂの下端部との間の寸法は、軽天材１６の中空部の上下方向の内寸法より短くされている。これにより、軽天材１６を両横向きフランジ１５ｂに固定する際には、軽天材１６の内部上側面を上向きフランジ１５ａに仮置きすることが可能になる。また、軽天受部１５が軽天材１６内部に挿嵌された状態で上下方向に若干の移動が可能になるので、軽天材１６を両横向きフランジ１５ｂに固定する際に軽天材１６の高さを微調整することが可能となる。
【００５２】
なお、本発明は上記実施の形態の記載内容に限定されず、例えば次のように実施しても良い。
【００５３】
上記実施形態においては、上向きフランジ１５ａを設けて軽天材１６を両横向きフランジ１５ｂに固定する際に軽天材１６の仮置きができるようにした。しかし、上向きフランジ１５ａを設けずに、両横向きフランジ１５ｂの上端部に軽天材１６の仮置きをするようにしてもよい。
【００５４】
上記実施形態では、上向きフランジ１５ａの上面部と両横向きフランジ１５ｂの下端部との間の寸法を、軽天材１６の中空部の上下方向の内寸法より短く設定している。換言すると、軽天受部１５の上端部と下端部との寸法を軽天材１６の中空部の上下方向の内寸法
より短く設定している。これにより、軽天材１６の端部に軽天受部１５を挿入した状態で、軽天材１６を上下方向に若干移動をすることができ、軽天材１６を軽天受部１５に固定する際に軽天材１６の高さを微調整することが可能になる。また、両横向きフランジ１５ｂの間に軽天材１６を挿入する構成とした場合であっても、軽天材１６の上方もしくは下方に軽天材１６を上下方向に移動可能とするスペースを設けておけば、軽天材１６を軽天受部１５に固定する際の高さ微調整が可能となる。すなわち、軽天材１６を軽天受部１５に固定する前は、軽天受部１５および軽天材１６の平行に対向する面を上下方向に相対移動可能な構成としておけば、軽天材１６を軽天受部１５に固定する際の高さ微調整が可能となる。
【００５５】
上記実施形態では、軽天材１６は長手方向に垂直な方向の断面が正方形の中空四角筒柱状の長尺材を用いた。しかし、断面は正方形に限定されず正方形を含む意味での長方形であればよい。この場合でも、軽天材１６の中空部水平方向の内寸法を両横向きフランジ１５ｂの間の外寸法よりわずかに大きくし、中空部上下方向の内寸法を軽天受部１５の上端部と下端部との寸法より大きく設定すれば、上記実施形態と同様の作用効果を奏する。また、軽天材１６は、必ずしも筒状にする必要はなく、軽天材１６の端部のみを端部側に開口させた中空状にしてもよい。このような形状によっても、開口した端部から軽天受部１５を挿入させることが可能なので、上記実施形態と同様の作用効果を奏する。
【００５６】
上記実施形態では、軽天受部１５は上枠ランナー１２の屋内側支持部１２ｂと一体に形成された。しかし、軽天材１６の端部を支持する部材を上枠ランナー１２の屋内側支持部１２ｂに固定する構成としてもよい。例えば、上枠ランナー１２の屋内側支持部１２ｂに図７に示されている軽天受ランナー１１５のような形状の部材を固定する構成としてもよい。この構成でも、軽天材１６は上枠ランナー１２の側面の屋内側支持部１２ｂに設けられた軽天支持部に支持されるので、軽天材１６を取り付ける天井下地組付工程に先立って、内壁下地材１４を枠体のスタッド１１に固定する工程を行う必要がない。その結果、上記実施形態と同様に、天井板１７を固定した段階では壁パネル１０の内壁下地材１４が固定されていない状態とすることができるので、天井板１７より下の同一階の壁面内および屋内空間の施工作業を同時期に行うことが可能になる。
【００５７】
上記実施形態では、軽天材１６は屋内側空間と屋外側空間とを区画する壁パネル１０に設けられた。しかし、軽天材１６は屋内空間を区画する壁パネルの一側面もしくは両側面に設けてもよい。この場合においても、軽天材１６を壁パネルの上枠ランナーの側面に設ければ上記実施形態と同様の作用効果を奏する。
【図面の簡単な説明】
【００５８】
【図１】本実施形態の軽天材の支持構造を示す斜視断面図。
【図２】本実施形態の軽天材の支持構造を示す壁パネル及び軽天材の要部断面図。
【図３】本発明の軽天材の支持構造を採用した場合の間仕切壁のある建物を施工する際の施工手順を示す斜視図。
【図４】本発明の軽天材の支持構造を採用した場合の間仕切壁のある建物を施工する際の施工手順を示す斜視図。
【図５】本発明の軽天材の支持構造を採用した場合の間仕切壁のある建物を施工する際の施工手順を示す斜視図。
【図６】本発明の軽天材の支持構造を採用した場合の間仕切壁のある建物を施工する際の施工手順を示す斜視図。
【図７】従来の軽天材の支持構造を示す斜視断面図。
【図８】従来の軽天材の支持構造を採用した場合の間仕切壁のある建物を施工する際の施工手順を示す斜視図。
【図９】従来の軽天材の支持構造を採用した場合の間仕切壁のある建物を施工する際の施工手順を示す斜視図。
【図１０】従来の軽天材の支持構造を採用した場合の間仕切壁のある建物を施工する際の施工手順を示す斜視図。
【図１１】従来の軽天材の支持構造を採用した場合の間仕切壁のある建物を施工する際の施工手順を示す斜視図。
【符号の説明】
【００５９】
１０…壁パネル、１１…スタッド、１２…上枠ランナー、１２ａ，１２ｂ…支持部、１３…構造用合板、１４…内壁下地材、１５…軽天受部、１５ａ…上向きフランジ、１５ｂ…下向きフランジ、１６…軽天材、１７…天井板。
【図１】
2007211409.tif 000003
【図２】
2007211409.tif 000004
【図３】
2007211409.tif 000005
【図４】
2007211409.tif 000006
【図５】
2007211409.tif 000007
【図６】
2007211409.tif 000008
【図７】
2007211409.tif 000009
【図８】
2007211409.tif 000010
【図９】
2007211409.tif 000011
【図１０】
2007211409.tif 000012
【図１１】
2007211409.tif 000013